(57)【要約】【課題】  製鉄所や鉱山等で一般的に使われているベルトコンベアに適用されてベルトに付着した付着物を除去する為のベルトクリーナに於て、付着物の除去効率を向上させると共に、それでいて設置スペースが小さくて済む様にする。【解決手段】  支持体２、弾性体３、除去片４、細溝５、押えローラ６とで構成し、とりわけ、除去片４を板状にしてその広い面側をベルト５２に接触させると共に、隣接する除去片４間にはベルト５２の送り方向Ａに対して所定角度θだけ傾斜された細溝５を形成する。【選択図】        図４
2005255376.tif 000002
【特許請求の範囲】
【請求項１】
ベルトコンベアのリターン側ベルトの下方に配された支持体と、支持体に設けられた弾性体と、弾性体に相互に隣接して設けられていると共に板状を呈してその広い面側がベルトに接触されて付着物を除去し得る多数の除去片と、隣接する除去片間に形成されてベルトの送り方向に対して所定角度だけ傾斜された細溝と、リターン側ベルトの上方に配されて除去片との間でリターン側ベルトを弾力的に挾持する押えローラと、から構成した事を特徴とするベルトクリーナ。
【請求項２】
支持体は、ベルトの幅方向に平行に配された支架材を備え、弾性体は、ベルト幅に亘って支架材に付設され、除去片は、平面略平行四辺形を呈して付着物に対向する端縁が鋭角度にされ、細溝は、各除去片を平面略平行四辺形にした事に依りベルトの送り方向に対して所定角度だけ傾斜して形成されている請求項１に記載のベルトクリーナ。
【発明の詳細な説明】
【技術分野】
【０００１】
本発明は、例えば製鉄所や鉱山等で一般的に使われているベルトコンベアに適用されてベルトに付着した付着物を除去する為のベルトクリーナの改良に関する。
【背景技術】
【０００２】
従来、この種のベルトクリーナとしては、次の様なものが知られている。
（１）  二本のワイヤロープをベルトの送り方向に対して斜めに配したもの（特許文献１参照）。
（２）  掻取板をベルトの送り方向に対して直角、つまりベルトの幅方向に配したもの（特許文献２〜１４参照）。
（３）  掻取板をベルトの送り方向に対して斜めに配したもの（特許文献１５〜１９参照）。
（４）  掻取板をベルトの送り方向に対して直角、つまりベルトの幅方向に配すると共に、押えローラに依り掻取板との間でリターン側ベルトを挾持するもの（特許文献２０参照）。
（５）  回転ブラシと押えローラに依りリターン側ベルトを挾持するもの（特許文献２１参照）。
【０００３】
【特許文献１】実開昭５４−４７７８４号公報
【特許文献２】特公平６−７６１３０号公報
【特許文献３】特公平７−２０７６６号公報
【特許文献４】特公平７−５９４４６号公報
【特許文献５】特公平７−１２８５２号公報
【特許文献６】特許第２５４５０３１号公報
【特許文献７】特開平６−３３６３２９号公報
【特許文献８】特開平７−２１５４４３号公報
【特許文献９】特開平８−９１５４４号公報
【特許文献１０】特開平８−９１５４５号公報
【特許文献１１】特許第２８２９４９８号公報
【特許文献１２】特許第２９１３１６６号公報
【特許文献１３】特許第２９４５３８８号公報
【特許文献１４】特許第３０８０３０８号公報
【特許文献１５】実開昭６３−１１６１１２号公報
【特許文献１６】実開昭６３−１２６３２２号公報
【特許文献１７】特開２００１−１１１１１７号公報
【特許文献１８】特開２００１−１３９１３０号公報
【特許文献１９】特開２００３−２７６８２３号公報
【特許文献２０】特開平１１−３３４８５３号公報
【特許文献２１】特開２００１−４８３３７号公報
【発明の開示】
【発明が解決しようとする課題】
【０００４】
然しながら、前記（１）は、構造が非常に簡単であるものの、ベルトに接触するワイヤロープの断面が円形であるので、付着物を的確に除去する事ができず、付着物の除去効率が芳しくなかった。
前記（２），（３）及び（４）は、何れも平板状の掻取板を使用するので、その端縁（エッジ）に依り付着物の除去効率が優れているものの、掻取板をベルト面に対して垂直又は所定の傾斜角度で起立させて使用する関係上、装置全体が嵩高になって大きな設置スペースが必要であると共に、構造が複雑化してコストが高く付く難点があった。
前記（５）は、回転ブラシを用いるので、付着物を的確に除去する事ができず、付着物の除去効率が芳しくないと共に、装置全体が嵩高になって大きな設置スペースが必要であると共に、構造が複雑化してコストが高く付く難点があった。
つまり、何れのものも、一長一短があって、付着物の除去効率に優れていると共に、大きな設置スペースを必要としないものがなかった。
【０００５】
本発明は、叙上の問題点に鑑み、これを解消する為に創案されたもので、その課題とする処は、付着物の除去効率に優れていると共に、それでいて大きな設置スペースを必要としないベルトクリーナを提供するにある。
【課題を解決するための手段】
【０００６】
本発明のベルトクリーナは、基本的には、ベルトコンベアのリターン側ベルトの下方に配された支持体と、支持体に設けられた弾性体と、弾性体に相互に隣接して設けられていると共に板状を呈してその広い面側がベルトに接触されて付着物を除去し得る多数の除去片と、隣接する除去片間に形成されてベルトの送り方向に対して所定角度だけ傾斜された細溝と、リターン側ベルトの上方に配されて除去片との間でリターン側ベルトを弾力的に挾持する押えローラと、から構成した事に特徴が存する。
【０００７】
多数の除去片は、その広い面側がベルトに接触されてベルトの送り方向に対向する端縁に依りベルトに付着された付着物が掻き取られて除去される。隣接する除去片間には、細溝が形成されているので、掻取抵抗が減少される。細溝は、ベルトの送り方向に対して所定角度だけ傾斜して形成されているので、斑なく掻取る事ができ、掻取能力が低下される事がない。弾性体に依り各除去片がベルトに弾力的に接触されるので、ベルトの全範囲に亘って均一な掻取効果を発揮する事ができる。リターン側ベルトの上方には、押えローラが配されているので、除去片との間でリターン側ベルトを弾力的に挾持する事ができ、確実な掻取を行う事ができる。
【０００８】
支持体は、ベルトの幅方向に平行に配された支架材を備え、弾性体は、ベルト幅に亘って支架材に付設され、除去片は、平面略平行四辺形を呈して付着物に対向する端縁が鋭角度にされ、細溝は、各除去片を平面略平行四辺形にした事に依りベルトの送り方向に対して所定角度だけ傾斜して形成されているのが好ましい。この様にすれば、除去片を平面略平行四辺形にしたので、これの前側片方には鋭角度の角部が形成されてこれに依り掻取抵抗を減少できる。除去片を平面略平行四辺形にしたので、細溝をベルトの送り方向に対して所定角度だけ傾斜できる。この為に、掻取抵抗を減少しつつ掻取効果を向上させる事ができる。除去片の端縁（エッジ）を鋭角度にしたので、掻取抵抗を減少できると共に、掻取った付着物を円滑に下方に導く事ができる。
【発明の効果】
【０００９】
本発明に依れば、次の様な優れた効果を奏する事ができる。
（１）  支持体、弾性体、除去片、細溝、押えローラとで構成し、とりわけ、除去片を板状にしてその広い面側をベルトに接触させると共に、隣接する除去片間にはベルトの送り方向に対して所定角度だけ傾斜された細溝を形成したので、付着物の除去効率を向上できると共に、それでいて設置スペースを小さくできる。
【発明を実施するための最良の形態】
【００１０】
以下、本発明の実施の形態を、図面に基づいて説明する。
図１は、本発明のベルトクリーナを示す拡大側面図。図２は、ベルトと押えローラを除く図１の正面図。図３は、図２の平面図。図４は、図１のベルトクリーナをベルトコンベアに適用した概要を示す側面図である。
【００１１】
ベルトクリーナ１は、支持体２、弾性体３、除去片４、細溝５、押えローラ６とからその主要部が構成されて居り、製鉄所や鉱山等で一般的に使われているベルトコンベア５０に適用される。
【００１２】
ベルトコンベア５０は、前後に離間された始端及び終端のプーリ（始端のプーリは、図示せず）５１と、これらに掛渡されたベルト５２と、終端のプーリ５１の外側に設けられたシュート（図示せず）と、一方のプーリを所定方向に回転させる回転駆動機（図示せず）と、終端のプーリ５１の近傍に設けられたスナッププーリ５３とを備えている。
【００１３】
支持体２は、ベルトコンベア５０のリターン側ベルト５２の下方に配されたもので、この例では、終端のプーリ５１とスナッププーリ５３との間に位置するリターン側ベルト５２の下方に配されて居り、ベルト５２の幅方向に平行に配された支架材７と、これに設けられて弾性体３の移動を阻止する為の止め材８とを備えている。
支架材７は、アングル材（一辺が７５ｍｍ、厚さが９ｍｍ）にしてあり、両端がシュートの側壁に支持されている。止め材８は、平材にしてあり、支架材７の上面後側に溶接されている。
【００１４】
弾性体３は、支持体２に設けられたもので、この例では、単一で横長な角棒状（一辺が３０ｍｍの四角状断面）を呈してネオプレンゴム等の弾性材料で作製されて居り、支持体２の止め材８の前面に当てがわれて支架材７の上面に接着剤に依り接着されている。
【００１５】
除去片４は、弾性体３に相互に隣接して設けられていると共に板状を呈してその広い面側がベルト５２に接触されて付着物を除去し得る多数のもので、この例では、平面略平行四辺形を呈して付着物に対向する端縁（エッジ）９の角度（上面と前面との為す角度）αが鋭角度にされている。
つまり、除去片４は、耐熱性や耐摩耗性に優れたＡｌ2Ｏ3系のセラミックスに依り作製されていると共に、弾性体３の上面に加硫接着や接着剤等に依り接着されて一体化されている。
除去片４は、長さが４０ｍｍ、横幅が３０ｍｍ、厚さが８ｍｍ、左右両辺の横幅が１０．７ｍｍ、エッジ９の長さが８ｍｍにしてあり、左右両辺の傾斜角度θが１５度、エッジ９の角度αが４５度にしてある。
【００１６】
細溝５は、隣接する除去片４間に形成されてベルト５２の送り方向Ａに対して所定角度θだけ傾斜されたもので、この例では、各除去片４を平面略平行四辺形にした事に依りベルト５２の送り方向Ａに対して所定角度θだけ傾斜して形成されている。
所定角度θは、５〜２５度であるのが好ましく、この例では、１５度にしてある。所定角度θが５度より小さくなると、除去片４に依る付着物の除去効率が低下する。逆に、所定角度θが２５度より大きくなると、ベルト５２と除去片４と接触抵抗が増大して振動が生じ易くなる。
細溝５の左右方向の幅Ｂは、除去片４の横幅に対して１／１０〜１／４が好ましく、この例では、５ｍｍにしてある。細溝５の左右方向の幅が除去片４の横幅に対して１／１０より小さくなると、付着物が詰まり易くなり、逆に、１／４より大きくなると、除去片４に依る掻取効果が低下してしまう。
【００１７】
押えローラ６は、リターン側ベルト５２の上方に配されて除去片４との間でリターン側ベルト５２を弾力的に挾持するもので、この例では、両端がシュートの側壁に昇降可能に支持された支持杆１０と、これに垂下された左右のブラケット１１と、これらに左右方向軸廻りに回転可能に設けられてベルト５２の上面に当合して転動し得るローラ１２と、これをベルト５２の上面に常時当合させるべく支持杆１０を下方に付勢するスプリング等の付勢体１３とを備えている。
ローラ１２は、ベルト５２の横幅に呼応した単一のものでも良いし、左右方向に複数だけ分割されていても良い。
【００１８】
次に、この様な構成に基づいてその作用を述解する。
ベルトコンベアは、回転駆動機に依り一方のプーリ５１が回転されてベルト５２が送り方向Ａに回送される。
多数の除去片４は、その広い面側がリターン側ベルト５２に接触されてベルト５２の送り方向Ａに対向する端縁つまりエッジ９に依りベルト５２に付着された付着物が掻き取られて除去される。
隣接する除去片４間には、細溝５が形成されているので、掻取抵抗が減少される。
細溝５は、各除去片４を平面略平行四辺形にした事に依りベルト５２の送り方向Ａに対して所定角度θだけ傾斜して形成されているので、斑なく掻取る事ができ、掻取能力が低下される事がない。
除去片４を平面略平行四辺形にしたので、これの前側片方には鋭角度の角部が形成されてこれに依り掻取抵抗を減少できる。
弾性体３に依り各除去片４がベルト５２に弾力的に接触されるので、リターン側ベルト５２の全範囲に亘って均一な掻取効果を発揮する事ができる。
リターン側ベルト５２の上方には、押えローラ６が配されているので、除去片４との間でリターン側ベルト５２を弾力的に挾持する事ができ、確実な掻取を行う事ができる。
【００１９】
尚、弾性体３は、先の例では、単一にされてこれに多数の除去片４を設けたが、これに限らず、例えば除去片４と同数だけ分割されて各弾性体３に除去片４を一つづつ設けたり、複数に分割されて各弾性体３に除去片４を複数づつ設けても良い。
除去片４は、先の例では、セラミックス製であったが、これに限らず、例えば高硬度で耐摩耗性に優れたＷＣ−Ｃｏ系超硬合金製等でも良い。
除去片４の大きさや数は、先の例に限らず、適宜変更できる。
除去片４は、先の例では、端縁９の角度αが４５度であったが、これに限らず、適宜変更できる。
細溝５は、先の例では、所定角度θが１５度で、左右方向の幅が５ｍｍであったが、これに限らず、適宜変更できる。
【図面の簡単な説明】
【００２０】
【図１】本発明のベルトクリーナを示す拡大側面図。
【図２】ベルトと押えローラを除く図１の正面図。
【図３】図２の平面図。
【図４】図１のベルトクリーナをベルトコンベアに適用した概要を示す側面図。
【符号の説明】
【００２１】
１…ベルトクリーナ、２…支持体、３…弾性体、４…除去片、５…細溝、６…押えローラ、７…支架材、８…止め材、９…端縁（エッジ）、１０…支持材、１１…ブラケット、１２…ローラ、１３…付勢体、５０…ベルトコンベア、５１…プーリ、５２…ベルト、５３…スナッププーリ、Ａ…送り方向、Ｂ…細溝の左右方向の幅、θ…所定角度、α…端縁の角度。
【図１】
2005255376.tif 000003
【図２】
2005255376.tif 000004
【図３】
2005255376.tif 000005
【図４】
2005255376.tif 000006